(57)【要約】【課題】石油燃焼機器において、設置時に高地設定や延長配管設定等の設定を簡単に行えるようにして、設置の省施工化を図るとともに、安全に使用できるようにする。【解決手段】リモコン制御部１３はリモコン設定値記憶手段１４の内容をホームページへ送受信する受信手段１６と送信手段１７を有し、該機器の使用状態や不良履歴データをホームページへ送信し、ホームページ情報からそれに応じた機器設定データを受信手段１６から取得して、リモコン設定値記憶手段１４に記憶させ、そして、リモコン設定値記憶手段１４の機器設定データを機器制御部１０へ送信するようにしてあるので、より簡単に該機器に応じた最新の機器設定データを得られるようになり、安全性やメンテナンス性も向上する。【選択図】  図１
2004239490.tif 000002
【特許請求の範囲】
【請求項１】
燃焼部と、前記燃焼部等を制御する機器制御部と、機器と別に設け、運転の入／切や運転条件等を設定するリモコンと、前記リモコンに設けたリモコン制御部とを備え、前記機器制御部は、前記燃焼部の制御条件や使用条件に対応する機器設定データを記憶する機器設定値記憶手段を有し、前記リモコン制御部は、機器の使用条件に対応する機器設定データを記憶するリモコン設定値記憶手段と、機器設定データを含むホームページ情報を受信する受信手段と、前記受信手段から得た機器設定データをリモコン設定値記憶手段へ記憶させる受信データ設定手段と、前記リモコン設定値記憶手段から機器設定データを前記機器制御部へ送信する送信手段とを備えた石油燃焼機器。
【請求項２】
リモコンは、少なくとも複数の機器設定データの中から機器の使用条件に対応する機器設定データか、あるいはその内容を示す代表値のどちらか一方を表示する設定表示手段を有する請求項１記載の石油燃焼機器。
【請求項３】
リモコン制御部は、リモコン設定値記憶手段から機器の使用条件に対応する機器設定データを、リモコン使用開始時、あるいは所定の動作期間中のみ、機器制御部へ送信するようにした請求項１または請求項２記載の石油燃焼機器。
【請求項４】
リモコン制御部に機器の使用状態や不良履歴データを取得する使用履歴取得手段を設け、取得した機器の使用状態や不良履歴データをリモコン設定値記憶手段に記憶するようにした請求項１〜請求項３のいずれか１項記載の石油燃焼機器。
【請求項５】
リモコンは、リモコン設定値記憶手段の内容をホームページへ送信する送信手段と、ホームページの情報から機器設定データを受信する受信手段を備え、ホームページを介して機器の各種情報を扱うようにした請求項１〜請求項４のいずれか１項記載の石油燃焼機器。
【発明の詳細な説明】
【０００１】
【発明の属する技術分野】
本発明は、石油燃焼機器における制御条件等の情報処理に関するものである。
【０００２】
【従来の技術】
一般的に、石油を燃料として用いた石油燃焼機器にあって、自然燃焼方式の機器は、標高の高い地域（以下、高地と呼ぶ）に設置して使用すると、空気密度が薄いため、平地における運転条件で設定し燃焼させると、空気不足状態となり黄火燃焼により異常を来すことになる。そこで、正常な燃焼を維持するには燃焼用の空気量を増やしたり、または燃焼量を下げる等の補正が必要であった。
【０００３】
また、強制給排気方式の石油燃焼機器にあっては、上記現象以外に、設置場所によって生じる給排気管の長さに起因した問題が発生し、例えば、給排気管を長くする延長配管をすると、配管抵抗が大きくなり空気不足状態となり同様に、黄火燃焼により異常を来すことになる。そこで、正常な燃焼を維持するには延長配管の長さを制限する必要があった。
【０００４】
また、石油燃焼機器は最近の住宅事情が多様化し、一般住宅から高気密・高断熱住宅までの対応が必要になってきて、それに加え、暖房する部屋数も１部屋の暖房から家全体の暖房や、２階建家屋や３階建家屋に対応しなければならない等、設置条件も多岐にわたり複雑になってきている。
【０００５】
さらに、石油温水暖房機のように温水を循環させるものにあっては、その燃焼量を調節するのはもちろんのこと、循環させる循環水の流量も調節する必要を生じている。つまり、部屋数が増えると、暖房に必要な熱量が増えるが、循環水の温度は、循環水を沸騰させないために最高８０℃程度に抑えなければならないので、循環流量を増やし、単位時間当たりに循環水が搬送できる熱量を増やさなければならない。
【０００６】
そのため、従来の石油温水暖房機は、その家の暖房能力に適した循環ポンプを、現地で取り付けるか、あるいは、能力切換ができる循環ポンプを搭載し、現地でその能力切換を行っていた。
【０００７】
そして、これら設置条件や使用条件の変化に対応させるため、石油燃焼機器を用いた機器では種々の対応をしなければならず、例えば、空気不足状態を解消し、空気量に応じた燃料消費量として正常な燃焼を維持させるように燃料を供給する燃料ポンプや送風機の制御を変更したり、循環ポンプの制御を変更するため、制御回路の定数を変更して、設定を変更させるなどの方法がとられていた。
【０００８】
このような対処方法では、施工時の手間がかかったり、定数設定を間違えたりして、本来の機能を果たさなくなる心配などの課題があった。そこで、従来の石油燃焼機器（特許文献１参照）において、燃焼機器の制御モード設定装置は、記憶手段に燃焼条件を複数記憶させ、高地や延長配管時には、対応する燃焼条件を選択する方法を応用するなどの対応が考えられていた。
【０００９】
これらの高地設置や延長配管、循環ポンプの能力切換等における条件の設定は、機器を使用する前の設置時に、設置施工業者か、あるいは使用者が設定を行うのが一般的であった。
【００１０】
しかしながら、上記従来の石油温水暖房機等の機器では、制御部に搭載した記憶手段に燃焼部などの制御条件等の制御定数を複数記憶させたものを、機器設置時に設置施工業者か、あるいは使用者が高地設定や延長配管設定、循環ポンプの能力切換等の条件の設定を使用条件に応じて設定スイッチ等を選択して行っているので、高地設定や延長配管設定の方法が、機種毎に異なっていたり、設定方法を記載した工事説明書や取扱説明書を紛失した場合は、作業内容が不明確となり、手間がかかるとともに、間違った設定を行う心配があった。
【００１１】
そのため設定できる内容も、細かく設定することが難しく、設置条件にあった最適な設定ができない場合もあった。そして、万一、設定を間違うと正常な燃焼状態を維持できなくなり、黄火燃焼でススが発生したり、不完全燃焼で機器が停止するといった不具合が発生する恐れもあった。
【００１２】
【特許文献１】
特開平７−３２４７３５号公報
【００１３】
【発明が解決しようとする課題】
上記従来の技術の問題点に鑑み、本発明が解決しようとする課題は、高地設定や延長配管設定等の設置及び使用環境に対応した機器使用の設定が簡単に行えるようにし、設置の省施工化を図るとともに安全に使用できる石油燃焼機器を提供することを目的とする。
【００１４】
【課題を解決するための手段】
本発明は上記課題を解決するため、燃焼部と、前記燃焼部等を制御する機器制御部と、機器と別に設け、運転の入／切や運転条件等を設定する遠隔制御手段としてのリモコンと、前記リモコンに設けたリモコン制御部とを備え、前記機器制御部は、前記燃焼部等の制御条件や使用条件に対応する機器設定データを記憶する機器設定値記憶手段を有し、前記リモコン制御部は、機器の使用条件に対応する機器設定データを記憶するリモコン設定値記憶手段と、機器設定データを含むホームページ情報を受信する受信手段と、前記受信手段から得た機器設定データをリモコン設定値記憶手段へ記憶させる受信データ設定手段と、リモコン設定値記憶手段から機器設定データを機器制御部へ送信する送信手段を有した構成としてある。
【００１５】
上記手段によれば、リモコン制御手段は機器の設置及び使用条件等の環境に対応する機器設定データを記憶するリモコン設定値記憶手段を有し、リモコン設定値記憶手段から機器設定データを機器制御手段へ送信して、機器の機器設定値記憶手段に機器設定データを記憶させるので、使用条件に応じた、例えば高地設定や延長配管設定、循環ポンプの能力切換等の設定値をリモコン単独で設定できるようになり、設置時に設定を行う必要がなくなり、事前に設定ができるなど、施工性を向上できるとともに、安全性やメンテナンス性も向上できる。
【００１６】
【発明の実施の形態】
上記した本発明の目的は、各請求項に記載した構成を実施の形態とすることにより達成できるので、以下には各請求項の構成にその構成による作用効果を併記し、併せて請求項記載の構成のうち説明を必要とする特定用語については詳細な説明を加えて、本発明における実施の形態の説明とする。
【００１７】
請求項１記載に係る発明は、燃焼部と、燃焼部等を制御する機器制御部と、機器と別に設け、運転の入／切や運転条件等を設定するリモコンと、リモコンに設けたリモコン制御部とを備え、機器制御部は、燃焼部等の制御条件や使用条件に対応する機器設定データを記憶する機器設定値記憶手段を有し、リモコン制御部は、機器の使用条件に対応する機器設定データを記憶するリモコン設定値記憶手段と、機器設定データを含むホームページ情報を受信する受信手段と、受信手段から得た機器設定データをリモコン設定値記憶手段へ記憶させる受信データ設定手段と、リモコン設定値記憶手段から機器設定データを機器制御部へ送信する送信手段を有した構成としてある。
【００１８】
上記実施の形態によれば、リモコン制御部は機器の使用条件等に対応する機器設定データを記憶するリモコン設定値記憶手段を有し、リモコン設定値記憶手段から機器設定データを機器制御部へ送信手段により送信して、機器の機器設定値記憶手段に機器設定データを記憶させるので、使用条件に応じた高地設定や延長配管設定、循環ポンプの能力切換等の代表設定値をリモコン単独で設定できるようになり、設置時に設定を行う必要がなくなり、事前に設定ができるなど、施工性が向上するとともに、安全性やメンテナンス性も向上する。
【００１９】
例えば、高地地域に使用する機器は、その設定を設置施工業者か、あるいは使用者がしなくてもいいように、予め高地使用に応じた機器設定データをリモコン設定値記憶手段に記憶させたリモコンを出荷することで、設置時に高地設定を行う必要がなくなり、施工性が向上するとともに、間違った設定もされる心配もなくなり、安全性も向上する。
【００２０】
また、何らかの理由でメンテナンス時に初期設定から燃焼部等の制御条件等の機器設定データを変更する場合、例えば、何らかの理由で部品を追加して負荷が変化するなどの場合に、部品と一緒に、変更する機器設定データをリモコン設定値記憶手段に記憶させたリモコンを出荷することで対応ができるようになり、機器の入れ替えが不要となり、メンテナンス性が向上する。
【００２１】
さらに、リモコン制御部は機器設定データを含むホームページ情報を受信するための受信手段から得た機器設定データをリモコン設定値記憶手段へ記憶させるようにしてあるので、機器の燃焼部などの制御条件等の機器設定データを設置施工業者か、あるいは使用者がホームページ情報を受信して得られるようになるので、より詳細な機器設定データを得ることができるようになり、安全性やメンテナンス性も向上する。
【００２２】
また、請求項２記載に係る発明は、請求項１記載の石油燃焼機器にあって、リモコンは、少なくとも複数の機器設定データの中から機器の使用条件等に対応する機器設定データか、あるいはその内容を示す代表値のどちらか一方を表示する設定表示手段を配設した構成としてある。
【００２３】
上記実施の形態によれば、リモコンの設定表示手段により複数の機器設定データの中から機器の使用条件等に対応する機器設定データか、その内容を示す代表値のどちらか、あるいは両方とも表示できるので、予め機器設定データあるいは代表設定値を設定したリモコンを出荷することで、設置施工業者か、あるいは使用者が制御条件等を設定する必要がなくなり、施工性等が向上するのはもちろん、仮に流通段階で取り違えるなど、何らかの理由で設定の異なるリモコンが供給されても、設置施工業者、あるいは使用者で確認ができるようになり、安全性が向上する。
【００２４】
例えば、リモコンに機器の使用条件等に対応する内容として「高地１０００ｍ以上用」といったラベルをリモコンに貼り付けることで、設置施工業者か、あるいは使用者でも判断できるようになり、間違ったリモコンの使用を防止でき、安全性が向上する。
【００２５】
また、リモコンに機器設定データとその内容を表示する液晶表示を設けることで、リモコンの定数設定手段で、液晶表示を見ながら機器の使用条件等に応じた機器設定データを設定することができるようになるとともに、さらに液晶表示で機器設定データと、その内容を確認できるようになり、リモコン単独で簡単にリモコンの設定ができるようになるとともに、誤使用を防止でき安全性が向上する。
【００２６】
また、請求項３記載に係る発明は、請求項１または請求項２記載の石油燃焼機器にあって、リモコン制御部はリモコン設定値記憶手段から機器の使用条件等に対応する機器設定データを、リモコン使用開始時、あるいは所定の動作期間中のみ、機器制御部へ送信する構成としてある。
【００２７】
上記実施の形態によれば、リモコン制御部はリモコン使用開始時、あるいは所定動作時のみに、機器制御部へ機器設定データを送信するので、リモコンでの運転条件などの変更も操作に支障なく使用できるとともに、リモコンの電気使用量も抑えることができる。
【００２８】
つまり、リモコンで運転の入／切や運転条件などを設定するときに合わせて、機器の使用条件等に対応する機器設定データあるいは機器設定データを毎回送信すると、送信に時間を要し運転条件などの変更に支障をきたしたり、リモコンの電気使用量が増え、電源寿命が短くなるなどの課題を生じるが、通常時は機器設定データを送信しないので、リモコンでの運転条件などの変更も容易で、電源である電池も長く使用することができる。
【００２９】
また、請求項４記載に係る発明は、請求項１〜請求項３のいずれか１項記載の石油燃焼機器にあって、リモコン制御部に機器の使用状態や不良履歴データを取得する使用履歴取得手段を設け、取得した機器の使用状態や不良履歴データをリモコン設定値記憶手段に記憶するように構成してある。
【００３０】
上記実施の形態によれば、リモコン制御部の使用履歴取得手段により、機器の使用状態や不良履歴データを取得できるので、取得した機器の使用状態や不良履歴データをリモコン設定値記憶手段に記憶し、設置した機器を取り外して修理業者に持ち運ばなくても、リモコンを機器メーカーや修理業者に渡すことで、その場にいかなくても機器メーカーや修理業者が状況を把握できるようになる。
【００３１】
そこで、修理が必要でない機器の使用条件等における設定データの変更で対応できる場合は、修正した機器設定データをリモコン設定値記憶手段に記憶させ、使用者にリモコンを返却して、使用者がリモコン設定値記憶手段から機器設定データを機器制御部へ送信することで対応できるようになり、修理性が向上する。
【００３２】
また、機器メーカーがリモコンを回収することで、機器の使用条件等の設定データを簡単に収集することができるようにもなる。
【００３３】
また、請求項５記載に係る発明は、請求項１〜請求項４のいずれか１項記載の石油燃焼機器にあって、リモコンは、リモコン設定値記憶手段の内容をホームページへ送信する送信手段と、ホームページ情報から機器設定データを受信する受信手段を備え、ホームページを介して機器の各種情報を扱う構成にしてある。
【００３４】
上記実施の形態によれば、リモコン制御部の送信手段により、リモコン設定値記憶手段の内容である機器の使用状態や不良履歴データをホームページへ送信し、一方、受信手段によりホームページ情報からそれに応じた機器設定データを取得してリモコン設定値記憶手段に記憶させ、そして、リモコン設定値記憶手段の機器設定データを送信手段により機器制御部へ送信するので、より簡単に機器に応じた最新の機器設定データを得られるようになり、安全性やメンテナンス性も向上する。
【００３５】
【実施例】
以下、本発明の一実施例を石油燃焼機器である石油温水暖房機の構成を用いて説明する。
【００３６】
図１は本発明の一実施例における石油温水暖房機のブロック図、図２は同石油温水暖房機のリモコンの外観図である。
【００３７】
図１において、１は燃焼部で、バーナー２と、灯油をバーナー２に供給する燃料ポンプ３と、燃焼空気をバーナー２に送る送風機４で構成してある。
【００３８】
５は温水循環部で、循環ポンプ６と、バーナー２で燃焼した熱を温水に伝えるための熱交換器７で構成され、熱交換器（図示せず）を有する放熱器としての室内機８とは往復の温水配管９で接続している。この室内機８は、温水循環部２から送られる温水を熱交換し、室内を暖房するようになっている。
【００３９】
１０はマイクロコンピュータ及びその周辺回路からなる機器制御部で、燃焼部１に対して最適な燃焼となるよう制御を行うようになっていて、機器制御部１０には、書き込み可能な不揮発性メモリーで構成され、燃焼部等の制御条件や使用条件に対応する機器設定データを記憶する機器設定値記憶手段１１が配設されている。
【００４０】
１２は遠隔制御手段としてのリモコンで、このリモコン１２を制御するマイクロコンピュータ及びその周辺回路からなり、リモコン使用開始時、あるいは所定動作時のみに、機器制御部１０へ機器設定データを送信するリモコン制御部１３を備え、このリモコン制御部１３には書き込み可能な不揮発性メモリーで構成され、機器の使用条件に対応する複数の機器設定データを記憶するリモコン設定値記憶手段１４と、該機器の使用状態や不良履歴データを取得する使用履歴取得手段１５と、機器設定データを含むホームページの情報を受信するための受信手段１６と、リモコン設定値記憶手段１４の機器設定データを機器制御部１０へ送信する送信手段１７と、受信手段１６から得た機器設定データをリモコン設定値記憶手段１４へ記憶させる受信データ設定手段１８とを有し、リモコン設定値記憶手段１４は機器の使用条件等に応じた機器設定データを記憶するとともに、受信手段１６と送信手段１７は、パソコン１９や携帯電話２０などの通信手段に接続できるようになっている。
【００４１】
そして、このリモコン１２は、機器のオン／オフや、温水温度の設定の信号を機器制御部１０へ送信して、機器の運転条件などを設定するとともに、初めて機器制御部１０へ運転条件などを送信手段１７により送信したときに、該機器の使用条件等に対応する機器設定データの代表設定値を機器制御部１０へ送信するようになっている。
【００４２】
２１は給排気管で、石油温水暖房機を屋内に設置する場合に、屋外の空気を取り入れ、燃焼後の排気ガスを屋外に放出するために取り付けられる。
【００４３】
リモコン１２について、図２を用いてさらに説明すると、２２は石油温水暖房機の運転を入／切するリモコンの運転スイッチ、２３はその運転状態を表示する運転ランプ、２４は運転中の温水温度の設定値等を表示する設定表示手段としての液晶表示部、２５は温水温度の設定を高くするための「高」スイッチ、２６は温水温度の設定を低くするための「低」スイッチ、２７はリモコンに貼付された機器の使用条件等に対応する設定表示手段としてのラベル、例えば「高地１０００ｍ以上用」といった機器の使用条件等の内容を示す。
【００４４】
次に、上記のように構成された石油温水暖房機の動作と作用について説明する。リモコン１２の運転スイッチ２２をオンすると、運転ランプ２３が点灯し、液晶表示部２４に温水の設定温度が表示される。運転スイッチ２２をオフすると、運転ランプ２３が消灯し、液晶表示部２４も消灯する。
【００４５】
ここで、石油温水暖房機を設置した場合の、機器設定データの設定方法について説明する。まず、設置場所の標高に応じた高地設定を行う場合を説明する。
【００４６】
運転スイッチ２２はオフのまま、初期設定を行う時以外、不用意に設定を変えてしまわないようにするため「高」スイッチ２５を２秒間押し続け、定数設定モードとする。
【００４７】
「高」スイッチ２５を２秒間押し続けると、液晶表示部２４には、該機器の使用条件等に対応する機器設定データを示す「Ｈ０」が表示される。「Ｈ０」の意味は、標高が０ｍ以上５００ｍ未満で使用する場合の設定である。
【００４８】
次に、「高」スイッチ２５を押すと、液晶表示部２４には、「Ｈ５」が表示される。「Ｈ５」は、標高が５００ｍ以上１０００ｍ未満で使用する場合の設定である。
【００４９】
さらに「高」スイッチ２５を押すと、液晶表示部２４には、「ＨＨ」が表示される。「ＨＨ」は、標高が１０００ｍ以上１５００ｍ未満で使用する場合の設定である。この実施例では、標高１５００ｍ未満で使用する機器として説明しているので、この次、「高」スイッチ２５を押せば、液晶表示部２４には、「Ｈ０」が表示され、もとの設定に戻る。このように、標高に応じた高地設定をリモコン１２で行うことができる。
【００５０】
例えば、高地設定が「Ｈ５」に設定された場合、機器制御部１０は、標高が高くなり、空気密度が低くなった分、送風機４の風量を増加させるか、あるいは燃料ポンプ３の吐出量を減少させるようになっている。
【００５１】
次に、給排気管１８の長さ設定について説明する。石油温水暖房機を屋内に設置した場合、燃焼のための空気を屋外から取り入れ、燃焼の排気ガスを屋外に放出させるための給排気管１８を取り付けるが、給排気管１８の長さは、設置場所により異なり、給排気管１８の長さ設定が必要となる。この給排気管１８の長さ設定は高地設定と同様にして設定できる。
【００５２】
すなわち、運転スイッチ２１はオフのまま、初期設定を行う時以外、不用意に設定を変えてしまわないようにするため「低」スイッチ２６を２秒間押し続け、定数設定モードとする。「低」スイッチ２６を２秒間押し続けると、液晶表示部２４には、該機器の使用条件等に対応する機器設定データを示す「Ｆ０」が表示される。「Ｆ０」の意味は、給排気管１８の長さが標準のままで使用する場合の設定である。
【００５３】
次に、「低」スイッチ２６を押すと、液晶表示部２４には、「Ｆ１」が表示される。「Ｆ１」は、給排気管１８に延長配管を１ｍつなげて使用する場合の設定である。さらに「低」スイッチ２６を押すと、液晶表示部２４には、「Ｆ２」が表示される。「Ｆ２」は、給排気管１８に延長配管を２ｍつなげて使用する場合の設定である。さらに「低」スイッチ２６を押すと、液晶表示部２４には、「Ｆ１０」が表示される。「Ｆ１０」は、給排気管１８に延長配管を１０ｍつなげて使用する場合の設定である。この実施例では、延長配管は１０ｍを限度として使用する機器として説明しているので、この次、「低」スイッチ２６を押せば、液晶表示部２４には、「Ｆ０」が表示され、もとの設定に戻る。このように、給排気管１８の長さに応じた設定をリモコン１２で行うことができる。
【００５４】
例えば、給排気管１８の長さ設定が「Ｆ２」に設定された場合、延長配管が２ｍ追加されたことによる配管抵抗の増加で送風機４の風量が減少した分を、送風機４の回転数を上げて風量を確保するか、あるいは燃料ポンプ３の吐出量を減少させるようになっている。
【００５５】
次に、循環ポンプ６の設定について説明する。石油温水暖房機の温水配管９は、室内機８とつながっている。その温水配管９の長さは、設置された家によって異なる。また、室内機８を何台接続するのかも、家毎に異なる。したがって、循環ポンプ６の能力をその家に適した設定にしなければならず、温水配管９の配管抵抗が大きければ、循環ポンプ６の能力を大きく、つまり、室内機８の設置台数が多くなれば循環ポンプ６の能力を大きく設定しなければならない。循環ポンプ６の能力設定も高地設定と同様にして設定できる。
【００５６】
すなわち、運転スイッチ２２はオフのまま、初期設定を行う時以外、不用意に設定を変えてしまわないようにするため「高」スイッチ２５と「低」スイッチ２６を同時に２秒間押し続け、定数設定モードとする。
【００５７】
「高」スイッチ２５と「低」スイッチ２６を同時に２秒間押し続けると、液晶表示部２４には、該機器の使用条件等に対応する機器設定データを示す「Ｐ１」が表示される。「Ｐ１」の意味は、循環ポンプ６の回転数を１０００回転／分で制御する場合の設定である。
【００５８】
次に、「高」スイッチ２５を押すと、液晶表示部２４には、「Ｐ２」が表示される。「Ｐ２」は、循環ポンプ６の回転数を２０００回転／分で制御する場合の設定である。
【００５９】
次に、「高」スイッチ２５を押すと、液晶表示部２４には、「Ｐ３」が表示される。「Ｐ３」は、循環ポンプ６の回転数を３０００回転／分で制御する場合の設定である。
【００６０】
次に、「高」スイッチ２５を押すと、液晶表示部２４には、「Ｐ４」が表示される。「Ｐ４」は、循環ポンプ６の回転数を４０００回転／分で制御する場合の設定である。
【００６１】
次に、「低」スイッチ２６を押すと、液晶表示部２４には、「Ｐ１」が表示され、もとの設定に戻る。このように、循環ポンプ６の能力設定をリモコン１２で行うことができる。よって、施工時の手間が大幅に削減できる。
【００６２】
なお、循環ポンプ６の能力設定は、本実施例では循環ポンプ６の回転数を設定したが、これを実現するためには、回転数を検知して、フィードバック制御が必要であり、他の方法として循環ポンプ６に与える電力を設定する方法、例えば、「Ｐ１」設定はフルパワーの１／４、「Ｐ２」設定はフルパワーの２／４、「Ｐ３」設定はフルパワーの３／４、「Ｐ４」設定はフルパワーという形にしてもよい。
【００６３】
以上のようにリモコン１２で設定した高地設定、給排気管１８の長さ設定、循環ポンプ６の能力設定等の機器設定データは、リモコン１２を制御するリモコン制御部１３のリモコン設定値記憶手段１４に記憶され、この記憶された機器設定データはリモコン１２の使用開始時に、機器制御部１０へ送信され機器設定値記憶手段１１に記憶され、これに基づき燃焼部１等の制御がなされるようになっている。
【００６４】
なお、機器設定値記憶手段１１およびリモコン設定値記憶手段１４は、不揮発性メモリーで構成され不揮発性であるため、電源が切られても、そのデータは残るようになっている。
【００６５】
次にリモコン１２のホームページ情報を用いる機器設定データの設定方法について説明する。
【００６６】
リモコン１２のリモコン制御部１３は、該機器の使用状態や不良履歴データを使用履歴取得手段１５で取得して、取得した該機器の使用状態や不良履歴データをリモコン設定値記憶手段１４に記憶するようになっている。
【００６７】
そして、受信手段１６と送信手段１７をパソコン１９や携帯電話２０などの通信手段に接続したのち、リモコン１２のリモコン制御部１３は、該機器の使用状態や不良履歴データのリモコン設定値記憶手段１４の内容をホームページへ送信手段１７で送信するとともに、ホームページの情報からそれに応じた機器設定データを受信手段１６から取得して、その機器設定データをリモコン設定値記憶手段１４に記憶させて、リモコン設定値記憶手段１４の機器設定データを機器制御部１０へ送信手段１７により送信するようになっている。
【００６８】
以上のように、リモコン１２は複数の機器設定データを記憶するリモコン設定値記憶手段１４を有し、リモコン１２から代表設定値を機器制御部１０へ送信する構成としてあるので、使用条件に応じた高地設定や延長配管設定、循環ポンプ６の能力切換等の代表設定値をリモコン１２単独で設定できるようになり、設置時に設定を行う必要がなくなり、事前に設定ができるなど、施工性を向上できる。
【００６９】
例えば、高地地域に使用する機器は、その設定を設置施工業者か、あるいは使用者がしなくてもいいように、予めリモコン１２を高地での使用に応じた機器設定データをリモコン設定値記憶手段１４に記憶させて出荷することで、設置時に高地設定を行う必要がなくなり、施工性を向上させることができるとともに、間違った設定が行われる心配もなくなり、安全性も向上できる。
【００７０】
これは、機器本体側で高地地域に使用する機器を準備すると、容積や重量が重たくなるため、管理が大変で実現性に乏しいが、小さなリモコン１２で準備するのは簡単であり、そのメリットが生かせる利点がある。
【００７１】
また、何らかの理由でメンテナンス時に初期設定から燃焼部１などの制御条件等の機器設定データを変更する場合、例えば何らかの理由で部品を追加して負荷が変化するなどの場合に、部品と一緒に、変更する機器設定データをリモコン設定値記憶手段１４に記憶させたリモコン１２を出荷することで対応ができるようになり、該機器の入れ替え等が不要となり、メンテナンス性を向上できる。
【００７２】
そして、予め機器設定データを設定したリモコン１２を出荷することで、設置施工業者か、あるいは使用者が制御条件等を設定する必要がなくなり、施工性等を向上できるのはもちろん、流通段階で取り違えるなど、何らかの理由で、設定の異なるリモコン１２が供給されても、リモコン１２に複数の機器設定データの中から該機器の使用条件等に対応する機器設定データの内容として表示する設定表示手段、本実施例では「高地１０００ｍ以上用」といった該機器の使用条件を示すラベル２７を配設した構成としてあるので、設置施工業者かあるいは使用者でも確認ができるようになり、間違ったリモコン１２の使用を防止でき、安全性が向上できる。
【００７３】
またそれに加え、リモコン１２に機器設定データとその内容を表示する液晶表示部２４を設けることで、リモコン１２の定数設定手段で、液晶表示部２４を見ながら該機器の使用条件等に応じた機器設定データを設定することができるようになるとともに、液晶表示部２４で機器設定データとその内容を確認できるようになり、リモコン１２単独で簡単にリモコン１２の設定を行えるようになるともに、リモコン１２の代表設定値を確認できるようになるので誤使用を防止でき、安全性を向上できる。
【００７４】
また、該機器の使用条件等に対応する機器設定データを、リモコン１２の使用開始時に、機器制御部１０へ送信する構成としてあるので、リモコン１２での運転条件などの変更も操作に支障なく使用できるとともに、リモコン１２の電気使用量も抑えることができる。
【００７５】
つまり、リモコン１２で運転の入／切や運転条件などを設定するときに合わせて、該機器の使用条件等に対応する機器設定データを毎回送信すると、送信に時間を要し運転条件などの変更に支障をきたしたり、リモコン１２の電気使用量が増え、電源としての電池寿命が短くなるなどの課題を生じるが、通常時は機器設定データあるいは機器設定データを送信しないので、リモコン１２での運転条件などの変更も容易で、電池も長く使用することができる。
【００７６】
さらに、リモコン１２のリモコン制御部１３は、機器設定データを含むホームページの情報を受信するための受信手段１６から得た機器設定データを受信データ設定手段１８によリモコン設定値記憶手段１４へ記憶させるようにしてあるので、該機器の燃焼部１などの制御条件等の機器設定データを設置施工業者か、あるいは使用者がホームページの情報を受信して得られるようになり、より詳細な機器設定データを得ることができ、安全性やメンテナンス性も向上できる。
【００７７】
そして、リモコン１２のリモコン制御部１３に該機器の使用状態や不良履歴等を取得する使用履歴取得手段１５を設けるとともに、取得した該機器の使用状態や不良履歴等をリモコン設定値記憶手段１４に記憶するようにした構成としてあるので、設置した機器を取り外さなければ持ち運びできない機器であっても、リモコンを機器メーカーや修理業者に渡すことで、その場にいかなくても機器メーカーや修理業者が予め状況を把握できるようになる。そこで、修理が必要でない該機器の使用条件等における設定データの変更で対応できる場合は、修正した機器設定データをリモコン設定値記憶手段１４に記憶させ、そのリモコンを使用者に返却して、使用者がリモコン設定値記憶手段１４から機器設定データを機器制御部１０へ送信することで対応できるようになり、取扱いとしての修理性を向上できる。
【００７８】
また、機器メーカーがリモコン１２を回収することで、該機器の使用条件等の設定データを簡単に収集することができるようになる。
【００７９】
それに加え、リモコン１２のリモコン制御部１３はリモコン設定値記憶手段１４の内容をホームページへ送信する送信手段１７により、該機器の使用状態や不良履歴等をホームページへ送信し、ホームページ情報からそれに応じた機器設定データを受信手段１６から取得して、リモコン設定値記憶手段１４に記憶させ、そして、リモコン設定値記憶手段１４の機器設定データを機器制御部１０へ送信するようにしてあるので、より簡単に該機器に応じた最新の機器設定データを得られるようになり、安全性やメンテナンス性を向上できる。
【００８０】
なお上記実施例では、定数設定手段をリモコン１２のスイッチ類で行うように説明したが、これはリモコン１２に個別に設けたスライドスイッチなどで高地設定、給排気管１８の長さ設定、循環ポンプ６の能力設定等を行うようにしてもよく、その他各部の構成も本発明の目的を達成する範囲であればその構成はどのようなものであってもよい。また、リモコン１２は上記実施例では機器制御部１０との通信を有線で行なったが、有線を着脱自在に結線する方法、あるいは無線で行なうようにしても良いものである。
【００８１】
【発明の効果】
以上のように本発明によれば、機器の仕様環境に応じた設定をリモコン単独で設定でき、施工性を向上できるとともに、安全性やメンテナンス性も向上できる。
【図面の簡単な説明】
【図１】本発明の一実施例における石油温水暖房機のブロック図
【図２】同石油温水暖房機のリモコンの外観図
【符号の説明】
１  燃焼部
１０  機器制御部
１１  機器設定値記憶手段
１２  リモコン
１３  リモコン制御部
１４  リモコン設定値記憶手段
１５  使用履歴取得手段
１６  受信手段
１７  送信手段
１８  受信データ設定手段
２４  液晶表示部（設定表示手段）
２７  ラベル（設定表示手段）
【図１】
2004239490.tif 000003
【図２】
2004239490.tif 000004